(57)【要約】【課題】  環境温度変化によって光部品に位置変動や光学特性の劣化が生じることがなく、また、相手光コネクタとの接続時に光部品に加わる嵌合圧力を吸収、或いは、緩和することができる光部品内蔵型の光コネクタ付きデバイスを提供する。【解決手段】  デバイスケースに内蔵した光部品によって伝達される光信号をデバイスと一体化された光コネクタを通じて相手光コネクタへ伝達することができる、光部品内蔵型の光コネクタ付きデバイスであって、光部品は、光コネクタが設けられた、その一端側において、デバイスケースに強固に固定され、その他端側において、デバイスケースに弾性的に接着されている。【選択図】          図１
2006058727.tif 000002
【特許請求の範囲】
【請求項１】
デバイスケースに内蔵した光部品によって伝達される光信号をデバイスと一体化された光コネクタを通じて相手光コネクタへ伝達することができる、光部品内蔵型の光コネクタ付きデバイスであって、前記光部品は、前記光コネクタが設けられた、その一端側において、前記デバイスケースに強固に固定され、その他端側において、前記デバイスケースに弾性的に接着されていることを特徴とするデバイス。
【請求項２】
前記光部品は光導波路素子とこの光導波路素子を介して接続される第１の光ファイバと第２の光ファイバを含み、前記第１の光ファイバの一端側は前記光導波路素子に接続され、他端側は前記デバイスケースに強固に固定され、前記第２の光ファイバの一端側は前記光導波路素子に接続され、他端側は前記デバイスケースに弾性的に接着されている請求項１記載のデバイス。
【請求項３】
前記第１の光ファイバの他端側はフェルールに固定され、該フェルール若しくは該フェルールを保持するフェルール付きフランジが前記デバイスケースに強固に固定される請求項２記載のデバイス。
【請求項４】
前記第２の光ファイバの他端側は前記デバイスケースに固定された部品を貫通して前記デバイスケースの外部に延出され、前記部品の貫通部において弾性的に接着される請求項２又は３記載のデバイス。
【請求項５】
前記第１の光ファイバ若しくは前記第２の光ファイバの少なくとも一部の外部を覆う前記第１の光ファイバ若しくは前記第２の光ファイバと同一の素材から成る補強ガラス筒を前記デバイスケースに組み込んだ状態で設けた請求項２乃至４のいずれかに記載のデバイス。
【請求項６】
前記第２の光ファイバの他端側の端部に、該第２の光ファイバの延伸方向に沿って移動可能な状態で前記デバイスと一体化された他の光コネクタを設けた請求項４に記載のデバイス。
【請求項７】
前記他の光コネクタは、前記デバイスケースから前記他の光コネクタに向かって延びる案内部材に沿ってスライド可能に設けられている請求項６に記載のデバイス。
【請求項８】
前記光コネクタは、相手光コネクタと簡易コネクタ接続される請求項１乃至６のいずれかに記載のデバイス。
【請求項９】
前記他の光コネクタは、相手光コネクタと端面接続される多心フェルールである請求項６乃至８のいずれかに記載のデバイス。
【請求項１０】
デバイスケースに内蔵した光部品によって伝達される光信号をデバイスと一体化された光コネクタを通じて相手光コネクタへ伝達することができる、光部品内蔵型の光コネクタ付きデバイスであって、前記光部品は光導波路素子とこの光導波路素子を介して接続される第１の光ファイバと第２の光ファイバを含み、前記第１の光ファイバの一端側は前記光導波路素子に接続され、他端側は前記デバイスケースに強固に固定され、前記第２の光ファイバの一端側は前記光導波路素子に接続され、他端側は前記デバイスケースに弾性的に接着されており、前記第１の光ファイバ若しくは前記第２の光ファイバの少なくとも一部は、前記デバイスケースに組み込まれた前記第１の光ファイバ若しくは前記第２の光ファイバと同一の素材から成る補強ガラス筒によってそれらの外部を覆われており、前記光コネクタは相手光コネクタと簡易コネクタ接続されることを特徴とするデバイス。
【請求項１１】
デバイスケースに内蔵した光部品によって伝達される光信号をデバイスと一体化された光コネクタを通じて相手光コネクタへ伝達することができる、光部品内蔵型の光コネクタ付きデバイスであって、前記光部品は光導波路素子とこの光導波路素子を介して接続される第１の光ファイバと第２の光ファイバを含み、前記第１の光ファイバの一端側は前記光導波路素子に接続され、他端側は前記デバイスケースに強固に固定され、前記第２の光ファイバの一端側は前記光導波路素子に接続され、他端側は前記デバイスケースに固定された部品を貫通して前記デバイスケースの外部に延出され、前記部品の貫通部において弾性的に接着されており、前記第２の光ファイバの他端には、前記第２の光ファイバの延伸方向に沿って移動可能な状態で前記デバイスと一体化された他の光コネクタが設けられており、該他の光コネクタは、前記デバイスケースの外部に延出された前記第２の光ファイバの他端側の端部に、前記デバイスケースから前記他の光コネクタに向かって延びる案内部材にスライド可能に設けられていることを特徴とするデバイス。
【発明の詳細な説明】
【技術分野】
【０００１】
本発明は、光コネクタ付きデバイス、更に言えば、デバイスケースに内蔵した光部品によって伝達される光信号をデバイスと一体化された光コネクタを通じて相手光コネクタへ伝達することができる、光部品内蔵型の光コネクタ付きデバイスに関する。
【背景技術】
【０００２】
この種の従来デバイスとして、例えば、特開平１１−２０２１５７号公報や特許第３０８８８２９号に開示されているものがある。特開平１１−２０２１５７号公報には、光導波路とこの光導波路によって互いに接続される光ファイバを固定するための溝を設けた基板上に複数の光ファイバを固定し、各光ファイバの端部に光コネクタを固定したデバイスが開示されている。
【０００３】
また、特許第３０８８８２９号には、光ファイバを内蔵した２つの光コネクタを光導波路を内蔵した光導波路部品を介して互いに接続するタイプの光部品内蔵型の光コネクタ付きデバイスが開示されている。この特許では、光コネクタと光導波路部品を接続する方法として、複数の光導波路が配列された光導波路部品の端面と複数の光ファイバが配列された光コネクタの端面とを互いに直接接続する方法が採用されており、また、それら光コネクタと光導波路部品を互いに位置決め、固定するために、各光コネクタにガイド穴を設け、これに対応して、光導波路部品の両側に光接続端子用のガイドピンを設けて、光コネクタのガイド穴によって光導波路部品のガイドピンを案内するようにして光導波路部品に対して光コネクタを位置決めし、位置決めされた光コネクタと光導波路部品を固定用クリップで止める技術が示されている。
【０００４】
これらの従来技術では、光ファイバや光導波路をはじめとする光部品はデバイスケースに内蔵するものとなっており、また、光コネクタはデバイスと一体化していることから、例えば、巻回された光ファイバをケース内に収納するタイプの従来光デバイスのように、ケースから光ファイバがはみ出すことがなく、また、入出力用のファイバ余長も生じることがなく、システムの小型化、組立て作業性の向上、取り扱いの容易化が図られるという点で利点を有する。しかしながら、樹脂や金属でできたデバイスケースとガラスでできた光部品とでは一般に熱膨張係数が大きく異なるため、これらの従来技術は、デバイスケースやこのデバイスケースに固定した光部品が温度変化した際に熱応力がかかり、光部品の光学特性を劣化させるという点で重大な欠点を有する。
【０００５】
特開２００１−８３３６３号公報には、熱膨張係数差の問題を解決する一つの解決策、即ち、光導波路を介して接続された光ファイバを、弾性接着剤によってそれぞれデバイスに直接接着すること、更に言えば、環境温度変化による熱膨張によって内蔵した光部品の位置変動、光学特性の劣化が発生することを防止するために、各光ファイバをデバイスに固定する位置によって接着剤の弾性率を変える技術が開示されている。
【０００６】
【特許文献１】特開平１１−２０２１５７号公報
【特許文献２】特許第３０８８８２９号
【特許文献３】特開２００１−８３３６３号公報
【発明の開示】
【発明が解決しようとする課題】
【０００７】
特開２００１−８３３６３号公報に示された解決策は、環境温度変化に応じて光ファイバがデバイスに対して可動状態とされている点で有効な方法であるが、ここでは、光ファイバをデバイスに直接接着することとされているため、光ファイバの接着強度が弱いという問題がある。また、この公報には、熱膨張係数差の問題を解決するための解決策は示されているものの、そのような技術を利用して光コネクタ付きデバイスを製造することについては何も示されていない。また、特許第３０８８８２９号では、光導波路が配列された光導波路部品の端面と光ファイバが配列された光コネクタの端面を互いに直接接続させることとなっていることから、接続の耐久性に問題があり、着脱可能な光コネクタとしては不向きである。
【０００８】
更に、特開２００１−８３３６３号公報や、特開平１１−２０２１５７号公報、特許第３０８８８２９号には、デバイスに一体的に設けた光コネクタを相手光コネクタと接続させる際に光部品に生じ得る嵌合圧力についての問題の記載がなく、そのような圧力を吸収し、或いは、そのような圧力によって生じる光部品の変位を有効に吸収、或いは、緩和することができない。
【０００９】
本発明は、これら従来技術における問題点を解決するためになされたものであり、デバイスケースと光部品との間の熱膨張係数差の問題を解決するとともに、デバイスに一体的に設けた光コネクタを相手光コネクタと接続させる際に光部品に生じ得る圧力を吸収し、或いは、このような圧力によって生じ得る光部品の変位を有効に吸収、或いは、緩和することができ、また、少なくとも一方の側において、接続の耐久性の高い光コネクタを使用した、光部品内蔵型の光コネクタ付きデバイスを提供することを目的とする。
【課題を解決するための手段】
【００１０】
本発明は、デバイスケースに内蔵した光部品によって伝達される光信号をデバイスと一体化された光コネクタを通じて相手光コネクタへ伝達することができる、光部品内蔵型の光コネクタ付きデバイスであって、前記光部品は、前記光コネクタが設けられた、その一端側において、前記デバイスケースに強固に固定され、その他端側において、前記デバイスケースに弾性的に接着されていることを特徴とするデバイス。
【００１１】
上記デバイスにおいて、前記光部品は光導波路素子とこの光導波路素子を介して接続される第１の光ファイバと第２の光ファイバを含み、前記第１の光ファイバの一端側は前記光導波路素子に接続され、他端側は前記デバイスケースに強固に固定され、前記第２の光ファイバの一端側は前記光導波路素子に接続され、他端側は前記デバイスケースに弾性的に接着されていてもよい。
【００１２】
また、上記デバイスにおいて、前記第１の光ファイバの他端側はフェルールに固定され、該フェルール若しくは該フェルールを保持するフェルール付きフランジが前記デバイスケースに強固に固定されていてもよい。
【００１３】
更に、上記デバイスにおいて、前記第２の光ファイバの他端は前記デバイスケースに固定された部品を貫通して前記デバイスケースの外部に延出され、前記部品の貫通部において弾性的に接着されてもよい。
【００１４】
また、上記デバイスにおいて、前記第１の光ファイバ若しくは前記第２の光ファイバの少なくとも一部の外部を覆う前記第１の光ファイバ若しくは前記第２の光ファイバと同一の素材から成る補強ガラス筒を前記デバイスケースに組み込んだ状態で設けてもよい。
【００１５】
更に、前記第２の光ファイバの他端側の端部に、該第２の光ファイバの延伸方向に沿って移動可能な状態で前記デバイスと一体化された他の光コネクタを設けてもよい。また、前記他の光コネクタは、前記デバイスケースから前記他の光コネクタに向かって延びる案内部材に沿ってスライド可能に設けられていてもよい。
尚、前記光コネクタは、相手光コネクタと簡易コネクタ接続されるものとしてもよい。更に、前記他の光コネクタは、相手光コネクタと端面接続される多心フェルールであってもよい。
また、本発明は、デバイスケースに内蔵した光部品によって伝達される光信号をデバイスと一体化された光コネクタを通じて相手光コネクタへ伝達することができる、光部品内蔵型の光コネクタ付きデバイスであって、前記光部品は光導波路素子とこの光導波路素子を介して接続される第１の光ファイバと第２の光ファイバを含み、前記第１の光ファイバの一端側は前記光導波路素子に接続され、他端側は前記デバイスケースに強固に固定され、前記第２の光ファイバの一端側は前記光導波路素子に接続され、他端側は前記デバイスケースに弾性的に接着されており、前記第１の光ファイバ若しくは前記第２の光ファイバの少なくとも一部は、前記デバイスケースに組み込まれた前記第１の光ファイバ若しくは前記第２の光ファイバと同一の素材から成る補強ガラス筒によってそれらの外部を覆われており、前記光コネクタは相手光コネクタと簡易コネクタ接続されることを特徴としている。
更に、本発明は、デバイスケースに内蔵した光部品によって伝達される光信号をデバイスと一体化された光コネクタを通じて相手光コネクタへ伝達することができる、光部品内蔵型の光コネクタ付きデバイスであって、前記光部品は光導波路素子とこの光導波路素子を介して接続される第１の光ファイバと第２の光ファイバを含み、前記第１の光ファイバの一端側は前記光導波路素子に接続され、他端側は前記デバイスケースに強固に固定され、前記第２の光ファイバの一端側は前記光導波路素子に接続され、他端側は前記デバイスケースに固定された部品を貫通して前記デバイスケースの外部に延出され、前記部品の貫通部において弾性的に接着されており、前記第２の光ファイバの他端には、前記第２の光ファイバの延伸方向に沿って移動可能な状態で前記デバイスと一体化された他の光コネクタが設けられており、該他の光コネクタは、前記デバイスケースの外部に延出された前記第２の光ファイバの他端側の端部に、前記デバイスケースから前記他の光コネクタに向かって延びる案内部材にスライド可能に設けられていることを特徴としている。
【発明の効果】
【００１６】
環境温度変化によって光部品に位置変動や光学特性の劣化が生じることがなく、また、相手光コネクタとの接続時に光部品に加わる圧力を吸収、或いは、緩和することができる光部品内蔵型の光コネクタ付きデバイスが提供される。
【発明を実施するための最良の形態】
【００１７】
以下、図面を参照して、本発明の好適な一実施形態を説明する。
図１、図２に、本発明による光部品内蔵型の光コネクタ付きデバイスの概略斜視図を示す。図２は、特に、図１に示す状態に、蓋と入力側コネクタハウジングを取り付けた状態を示している。
【００１８】
デバイス１は、パッケージケース（以下、ケースという）１０と、その蓋１１、これらケース１０と蓋１１によってパッケージングされる内部部品２０〜６０と、更に、ケース１０と一体化される入力側コネクタハウジング１２を備える。
【００１９】
蓋１１は、その一部のみ平板状１３であり、全体としてはコ字断面を有する。蓋１１は、その平板状部分１３によってケース上部の一部を覆うようにして、また、その他の部分によってケース上部と両側面１４を覆うようにして上方から取り付けられる。蓋１１をケース１０に取り付けたとき、蓋１１はケース１０の底板突出縁１５と衝突する。蓋１１の上面中間付近には、ケース１０の内部に充填材を注入するための注入穴（図示されていない）が設けてある。この注入穴は小蓋３３によって閉じることができる。ケース１０に内部部品を配置し、蓋１１をケース１０に固定した後、注入穴からゼリーをケース１０に注入することができる。このゼリーによって内部部品を外部の衝撃等から保護することができる。
【００２０】
入力側コネクタハウジング（光コネクタ）１２は、外部ハウジング１６と、その内部に設けた内部ハウジング（図面には示されていない）から成る。外部ハウジング１６の前面に、相手光コネクタが挿入される穴１７が設けてある。この穴１７を通じて相手コネクタが挿入されたとき、入力側コネクタハウジングは、相手光コネクタ（図示されていない）と簡易コネクタと同様の方法で接続され得る。この接続方法はよく知られているため、ここでは特に説明しない。入力側コネクタハウジングと相手コネクタは、このように簡易接続によって接続されるだけで、光導波路と光ファイバとの間の端面接続のような接続はここでは行わない。入力側コネクタハウジング１２をケース１０に位置決めするため、ケース１０の入力側の一端には一組の位置決め板１８が相対して設けてある。入力側コネクタハウジング１２は、これらの位置決め板１８の間に外部ハウジング１６の一部が挟み込まれた状態で接着剤によって固定される。これらの位置決め板１８は、蓋１１の平板状部分１３と対応付けられて、蓋１１をケース１０に位置決めするためにも役立つ。
【００２１】
内部部品には、ケース１０の入力側端部に設けるフェルール付きフランジ２０と、ケース１０の中間位置に設ける光導波路素子３０、光導波路素子３０とフェルール付きフランジの間に設ける入力側単芯光ファイバ４０、ケース１０の出力端側に設ける出力端多心光ファイバ５０、更に、ケース１０の出力側端部に設ける出力端ファイバ保護材６０が含まれる。
【００２２】
フェルール付きフランジ２０は、フェルール２１とフランジ部２２から成り、更に、フランジ部２２は、穴の開いた大矩形部４３と小矩形部４４といった２段の矩形部から成る係合部分２３と円筒部分２４から成る。フェルール２１は、フランジ部２２の係合部分２３に大矩形部４３の側から圧入されてそこに固定される。係合部分２３は、ケース１０の入力側に突出した状態で設けられているが、入力側コネクタハウジング１２がケース１０に固定されたときには、入力側コネクタハウジング１２の内部ハウジングと係合して、内部ハウジングに収容された状態となる。従って、入力側コネクタハウジング１２がケース１０と一体化された後は、実質的には、フェルール２１のみがケース１０から突出した部分となり、相手側光コネクタとの嵌合時に最も強く圧力を受け得る部分となる。
【００２３】
フランジ部２２は、その円筒部分２４において、ケース１０の入力側の一端に設けた半円状の凹溝１９にその半分を埋め込まれる。ケース１０の凹溝１９に対応して、蓋１１の裏側には、フランジ部２２の円筒部分２４の残り半分が埋め込まれる半円状の凹溝（図示されていない）が設けてある。ケース１０と蓋１１を突き合わせることにより、これらの凹溝によって１つの円筒状の溝が形成され、フェルール付きフランジ２０をケース１０と蓋１１の間に完全に配置することができる。フェルール付きフランジ２０は、例えば、シール用接着剤によって、この円筒溝に強固に固定される。このように、フランジ部２２はケース１０に強固に固定されることから、例えば、相手光コネクタとの嵌合時にフランジ部２２に固定されたフェルール２１が相手光コネクタから受けた圧力は、ほぼそのままケース１０の内部に伝達される。
【００２４】
入力側単芯光ファイバ（以下、単芯ファイバという）４０は、その入力側の一端側においては、その最も内側の光ファイバ心線４１を露出させた状態でフェルール２１の内部を貫通した状態でそこに固定され、その中間のフランジ部２２の円筒部分２４では、完全に被覆されたままの状態４２で円筒部分２４の内部を貫通して外部に延出され、光導波路素子３０手前の中間位置では、被覆を取り除かれてＵＶコート４３が露出した状態とされ、出力側の一端側においては、再び、その最も内側の光ファイバ心線４１を露出させた状態で光導波路素子３０に固定されている。この単芯ファイバ４０とケース１０の隙間には、弾力性に富む樹脂（接着剤やシール材）が充填され、それらは弾性接着されている。
【００２５】
光導波路素子３０は、その内部に所定の機能を有した光導波路を有する。ここでは光スプリッタの機能を有する光導波路を用いているが、勿論、この機能に限定されるものではない。単芯ファイバ４０によって伝達された光信号は、光スプリッタによって複数の光信号に分割された後、出力端多心光ファイバ（以下、多心ファイバという）５０に伝達される。多心ファイバ５０の一端側は、その最も内側の光ファイバ心線５１を露出させた状態で光導波路素子３０に固定され、出力側の他端側は、ＵＶコート５２が露出された状態でケース１０の外部へ延出されている。多心ファイバ５０や光導波路素子３０とケース１０との隙間には、弾力性に富む樹脂（接着剤やシール材）が充填され、それらは弾性接着されている。
【００２６】
出力端ファイバ保護材（以下、ファイバ保護材）６０は、ケース１０の出力側端部にケース１０に完全に固定した状態で設ける。蓋１１をした後も、このファイバ保護材６０の出力側の一部は外部に露出したままの状態とされる。ファイバ保護材６０は、その中心付近に貫通部６１を有し、この貫通部６１を通じて、多心ファイバ５０をケース１０の外部に延出させる。貫通部６１の内部は、弾力性に富む樹脂（接着剤やシール材）で充填され封止され、多心ファイバ５０とファイバ保護材６０の間の隙間は弾性的に接着される。したがって、多心ファイバ５０は、ファイバ保護材６０に対して、多心ファイバ５０の延伸方向に沿って微小運動可能である。上述したように、単芯ファイバ４０とケース１０の隙間、多心ファイバ５０や光導波路素子３０とケース１０との隙間、多心ファイバ５０とファイバ保護材６０の貫通部には、弾力性に富む樹脂（接着剤やシール材）が充填され、それらは弾性接着されていることから、相手光コネクタとの嵌合時等に、フェルール２１を通じて相手光コネクタから受けた圧力、若しくは、衝撃は、これらの弾性作用によって吸収される。この構成によって、ケース内の光部品を効果的に保護することができる。
【００２７】
明らかなように、以上の構成によれば、環境温度が変化して、樹脂でできたケース１０と石英ガラスでできた光部品の間に熱膨張係数差による伸縮差が生じても、多心ファイバ５０をケース１０に出入りさせること等によって、光部品へかかる応力を吸収することができる。更に言えば、ケース１０と光部品２０〜６０の間の熱膨張係数差に起因した温度変化による光学特性の劣化を抑止することができる。また、本発明の構成によれば、入力側においては、フェルール付きフランジ２０がケース１０に強固に固定されていることから、特にケース１０の外部へ露出したフェルール２１に不測の外部応力が生じても内部部品を効果的に保護することができる。
【００２８】
図３に、本発明の一つの変形例を示す。この変形例は、図１、図２の構成に、補強ガラス筒７０を付加したものである。その他の構成は図１、図２と実質的に同様である。補強ガラス筒７０は、単芯ファイバ４０のガラス素材と同一素材から成り、例えば、フェルール付きフランジ２０の出力側端部付近に設けたケース１０の窪み７１と、光導波路素子３０の手前（ＵＶコートされた光ファイバの中間位置）に設けた段差７２との間に挟み込まれ、ケース１０に組み込まれた状態で、単芯ファイバ４０の外部を包囲するようにしてケース１０に配置、固定される。補強ガラス筒７０は、最も物理的強度が弱いと考えられる単芯ファイバ４０の少なくとも一部を補強するものであり、これによって、外部応力に対する強度を上げることができる。更に言えば、補強ガラス筒７０は、単芯ファイバ４０と同一の素材でできているため、補強ガラス筒７０によってケース１０の伸縮を抑制し、温度変化による熱膨張差による悪影響を光ファイバに直接生じることを防止することができ、部品強度を向上させることができる。
【００２９】
図４に、別の変形例を示す。この変形例は、図１、図２の構成に、多心フェルール８０（光コネクタ）を付加したものである。その他の構成は図１、図２と実質的に同様である。多心フェルール８０は、ファイバ保護材６０を貫通して延伸された光ファイバの端部５３がそこに固定されるように設けられており、その端面には、複数の光ファイバ８１がそれらの心線を露出させた状態で配列されている。多心フェルール８０は、その端面にて、相手光コネクタ（図示されていない）の光ファイバ端面若しくは光導波路端面と互いに直接接続され得る。多心フェルール８０とケース１０の位置関係を維持するため、ケース１０の出力側前面からは、多心フェルール８０側に２本の多心フェルール固定用ピン８２が延びている。これらのピン８２は、ケース１０に強固に固定されており、また、多心フェルール８０に空けたピン穴８３と同じ間隔で配列されている。多心フェルール８０のピン穴８３にピン８２をスライド可能に挿入して、ケース１０に多心フェルール８０を一体化された状態で取り付けることにより、多心フェルール８０を、ケース長手方向において、或いは、出力側多心ファイバの延伸方向に沿って案内し、ケース１０から相対的に移動させることができる。これにより、入力側のみならず、出力側においても、相手光コネクタ（図示されていない）と接続させることができる。
【００３０】
尚、上の説明では、フェルール付きフランジ２０の円筒部分２４をケース１０や蓋１１に固定することとしたが、例えば、フェルール２１を出力端側に延出させ、且つ、フェルール付きフランジ２０の円筒部分２４を取り除いた状態として、フェルール２１をケース１０に直接固定してもよい。
【００３１】
また、補強ガラス筒７０は、必ずしも、上述した位置に設ける必要はなく、ケース１０の窪み等の位置を多少ずらすことによって、例えば、補強ガラス筒７０の内部にフェルール付きフランジ２０の一部（円筒部分２４の一部）を内筒にするようにして、つまり、フェルール付きフランジ２０と重なるようにして、また、光導波路素子３０とフェルール付きフランジ２０の間に、また、出力端ファイバ保護材６０と光導波路素子３０の間に、窪みを利用して配置、固定してもよい。尚、この場合の円筒部分２４と窪み７１と段差７２の位置関係は、図４に相当するものと考えてよい。
【産業上の利用可能性】
【００３２】
本発明は、光コネクタを有する様々なデバイスに利用することができる。
【図面の簡単な説明】
【００３３】
【図１】本発明による光部品内蔵型の光コネクタ付きデバイスの概略斜視図である。
【図２】図１に示す状態に、蓋と入力側コネクタハウジングを取り付けた状態を示す図である。
【図３】図１、図２の構成に補強ガラス筒を付加した実施例を示す図である。
【図４】図１、図２の構成に多心フェルールを付加した実施例を示す図である。
【符号の説明】
【００３４】
１０  ケース
１１  蓋
１２  入力側コネクタハウジング
１９  凹溝
２０  フェルール付きフランジ
２１  フェルール
２２  フランジ部
２３  係合部分
２４  円筒部分
３０  光導波路素子
４０  入力側単芯光ファイバ
５０  出力端多心光ファイバ
６０  出力端ファイバ保護材
７０  補強ガラス筒
８０  多心フェルール
【図１】
2006058727.tif 000003
【図２】
2006058727.tif 000004
【図３】
2006058727.tif 000005
【図４】
2006058727.tif 000006